(57)【要約】【課題】            保冷材その他の備品を容易且つ確実に収容保持可能な備品収納壁を備えた包装箱を提供する。【解決手段】        本発明で提案する備品収納壁を備えた包装箱は、平面視でコーナー角を有する多角形の底板２又は天板６となる板部材の外周の各辺に、互いに隣接して起立する周壁３ａ，３ｂ，４ａ，４ｂを連設し、該周壁３ａ〜４ｂのうちの１つである前壁３ａ両端に隣接する他の周壁４ａ,４ｂの前端に、内向きにアングル状に折曲げ可能な前端フラップ１６を連設した。そして上記前壁３ａの上端に、内側に折り重ねることにより前壁３ａの内面との間に保冷材５１その他の備品を収容して保持する備品収容スペースを形成する折返しフラップ２９を折り曲げ可能に連設した。  また左右前端フラップ１６，１６間又は前端フラップ１６自体に内外両側に通じる通気部３４を設けるとともに、折返しフラップ２９に包装箱１内側との通気を可能にする通気孔３１を形成した。【選択図】          図２
2005200023.tif 000002
【特許請求の範囲】
【請求項１】
平面視でコーナー角を有する多角形の底板（２）又は天板（６）となる板部材の外周の各辺に、互いに隣接して起立する周壁（３ａ），（３ｂ），（４ａ），（４ｂ）を連設し、該周壁（３ａ）〜（４ｂ）のうちの１つである前壁（３ａ）両端に隣接する他の周壁（４ａ）,（４ｂ）の前端に、内向きにアングル状に折曲げ可能な前端フラップ（１６）を連設した包装箱（１）において、上記前壁（３ａ）の上端に、内側に折り重ねることにより前壁（３ａ）の内面との間に保冷材（５１）その他の備品を収容して保持する備品収容スペースを形成する折返しフラップ（２９）を折り曲げ可能に連設した備品収納壁を備えた包装箱。
【請求項２】
左右前端フラップ（１６），（１６）間又は前端フラップ（１６）自体に内外両側に通じる通気部（３４）を設けるとともに、折返しフラップ（２９）に包装箱（１）内側との通気を可能にする通気孔（３１）を形成した請求項１の備品収納壁を備えた包装箱。
【請求項３】
前壁（３ａ）の上端両側位置と、前壁（３ａ）の両端に隣接する周壁（４ａ），（４ｂ）の上端に、内側にアングル状に折曲げられる上部フラップ（１２ａ），（１２ｂ），（１１ａ），（１１ｂ）とを各連設し、包装箱組立時にコーナー部において隣接交差する各上部フラップ（１１ａ），（１１ｂ），（１２ａ），（１２ｂ）に互いに係止し合って前壁（３ａ）の起立状態を保持するフック部（１３ａ），（１３ｂ），（１４ａ），（１４ｂ）を設けてなる請求項１又は２の備品収納壁を備えた包装箱。
【請求項４】
背面側の周壁（３ｂ）の上端に蓋前壁（８）付の蓋を構成する天板（６）を折曲げ可能に連設し、前壁（３ａ）には閉蓋時に蓋前壁（８）外周面側より、蓋前壁（８）に設けた係止孔（２３）に対して差込み係止することにより閉蓋状態を保持する爪部（２２）付の係止片（２１）を切残し形成し、折返しフラップ（２９）には、折返しフラップ（２９）折重ね状態で上記切残し形成状態の係止片（２１）を内側より外側に押出すための操作孔（３３）を形成してなる請求項１，２又は３の備品収納壁を備えた包装箱。
【請求項５】
平面視でコーナー角を有する多角形の底板２又は天板６となる板部材の外周の各辺に、互いに隣接して起立する周壁（３ａ），（３ｂ），（４ａ），（４ｂ）を連設し、該周壁（３ａ）〜（４ｂ）のうちの１つである前壁（３ａ）両端に隣接する他の周壁（４ａ），（４ｂ）の前端に、内向きにアングル状に折曲げ可能な前端フラップ（１６）を連設した包装箱（１）において、箱組立状態において前壁（３ａ）とその内側に位置する前端フラップ（１６）との間に保冷材（５１）その他の備品を収容保持する備品収容スペースを形成するために、前端フラップ（１６）の自由端が所定位置まで内側に揺動することを許容し且つ所定位置以上の揺動を規制する規制手段（４１）を設けてなる備品収納壁を備えた包装箱。
【発明の詳細な説明】
【技術分野】
【０００１】
この発明はケーキ等の収容物を収容する包装箱に関し、特に保冷材やローソク，表示プレートその他の付属品等を収容する備品収納壁を備えた包装箱に関する。
【背景技術】
【０００２】
従来の保冷材等を収容する包装箱の収容構造としては、特許文献１の図３に示すように、左右の前フラップの延長上に帯状片３０，３１を折曲げ可能に連設し、該帯状片３０，３１を両側から差し渡し、２箇所で差込んで収容部を形成する包装箱が公知であり、図１０に示すように、上部に開口部を設けた保冷材収容部を備えた一体の紙からなる包装箱が公知である。また特許文献２の図３に示すように、側壁上縁に保冷材収容板を形成し、該収容板の自由端に把手を起立状態で係止固定する係止片を連設し、該係止片を差込口から引き出す構造とした保冷材収容部を備えた紙箱等が公知である。
【特許文献１】登録実用新案第３０７５５２５号公報（図３，図１０）
【特許文献２】登録実用新案第３０４７５７９号公報（図３）
【発明の開示】
【発明が解決しようとする課題】
【０００３】
しかし、上記従来の公知技術は、一体の紙にて保冷材等の収容部を形成するという点では共通するものの、上記すべての公知技術において、保冷材等の収容部の使用不使用にかかわらず、収容スペースが必ず形成されるという問題があり、保冷材の使用不使用によって２種類の包装箱を店頭等の現場で用意しなければならなかった。
【０００４】
特許文献１の図１〜６に示される第１実施例では、帯状片３０に形成された折目３６，３７，３８，３９の折曲げ作業が複雑であるとともに、該帯状片３０，３１に形成された切込み３２，３４，３３，３５による係止作業が、帯状片３０，３１を両側から差し渡し、２箇所で差込んで係止しなければならず、店頭等の現場作業が煩雑になるという問題があった。また特許文献１の図７〜１３に示される第２実施例では、図７の展開図に示すように、把手（取出片７０，７１）の係合片６０，６１の切り抜き孔が保冷材等の出し入れ口となるので、長さや幅のある収容物の出し入れが困難であった。
【０００５】
さらに特許文献２では、側壁上縁と係止片３８，３９の間に保冷材収納板３６，３７を設けたので、保冷材収納部に十分な収納スペースを確保するためには、天板部４８，４９及び底板部５６，５７の幅を広く取る必要があった。その他、複数の折目を介して内側に折り返し、差込口から係止片を引き出す構造であるので、店頭等での現場作業が煩雑になるという問題があった。
この発明は、これらの課題を解決又は改善しようとするものである。
【課題を解決するための手段】
【０００６】
上記課題を解決するための本発明の備品収納壁を備えた包装箱は、第１に、平面視でコーナー角を有する多角形の底板２又は天板６となる板部材の外周の各辺に、互いに隣接して起立する周壁３ａ，３ｂ，４ａ，４ｂを連設し、該周壁３ａ〜４ｂのうちの１つである前壁３ａ両端に隣接する他の周壁４ａ,４ｂの前端に、内向きにアングル状に折曲げ可能な前端フラップ１６を連設した包装箱１において、上記前壁３ａの上端に、内側に折り重ねることにより前壁３ａの内面との間に保冷材５１その他の備品を収容して保持する備品収容スペースを形成する折返しフラップ２９を折り曲げ可能に連設したことを特徴としている。
【０００７】
第２に、左右前端フラップ１６，１６間又は前端フラップ１６自体に内外両側に通じる通気部３４を設けるとともに、折返しフラップ２９に包装箱１内側との通気を可能にする通気孔３１を形成したことを特徴としている。
【０００８】
第３に、前壁３ａの上端両側位置と、前壁３ａの両端に隣接する周壁４ａ，４ｂの上端に、内側にアングル状に折曲げられる上部フラップ１２ａ，１２ｂ，１１ａ，１１ｂとを各連設し、包装箱組立時にコーナー部において隣接交差する各上部フラップ１１ａ，１１ｂ，１２ａ，１２ｂに互いに係止し合って前壁３ａの起立状態を保持するフック部１３ａ，１３ｂ，１４ａ，１４ｂを設けてなることを特徴としている。
【０００９】
第４に、背面側の周壁３ｂの上端に蓋前壁８付の蓋を構成する天板６を折曲げ可能に連設し、前壁３ａには閉蓋時に蓋前壁８外周面側より、蓋前壁８に設けた係止孔２３に対して差込み係止することにより閉蓋状態を保持する爪部２２付の係止片２１を切残し形成し、折返しフラップ２９には、折返しフラップ２９折重ね状態で上記切残し形成状態の係止片２１を内側より外側に押出すための操作孔３３を形成してなることを特徴としている。
【００１０】
第５に、平面視でコーナー角を有する多角形の底板２又は天板６となる板部材の外周の各辺に、互いに隣接して起立する周壁３ａ，３ｂ，４ａ，４ｂを連設し、該周壁３ａ〜４ｂのうちの１つである前壁３ａ両端に隣接する他の周壁４ａ，４ｂの前端に、内向きにアングル状に折曲げ可能な前端フラップ１６を連設した包装箱１において、箱組立状態において前壁３ａとその内側に位置する前端フラップ１６との間に保冷材５１その他の備品を収容保持する備品収容スペースを形成するために、前端フラップ１６の自由端が所定位置まで内側に揺動することを許容し且つ所定位置以上の揺動を規制する規制手段４１を設けてなることを特徴としている。
【発明の効果】
【００１１】
以上の如く構成される本発明の備品収納壁を備えた包装箱によれば、以下に示すような効果を奏するものである。
（１）前壁の上端に折返しフラップを折曲げ可能に連設し、該折返しフラップを内側に折曲げることにより前壁の内面との間に保冷材その他の備品を収容して保持する備品収容スペースを形成したので、保冷材その他の備品を容易且つ確実に収容保持できるとともに、折返しフラップを内側に折返し前壁を２重壁とすることにより断熱効果が高くなると同時に、前壁の強度が増すことにより、箱組後の積み重ね等の取扱いが容易になった。
【００１２】
（２）前壁の幅及び高さに対応した備品収容スペースを確保することができるので、長さや幅のある備品を収容保持することができる。また備品収容スペースが包装箱内に突出せずに包装箱の内容積を広く使用することができるので、ケーキ等の内容物を損傷させることがなくなるとともに、備品収容スペースの使用不使用にかかわらず１種類の包装箱で対応することができる。
【００１３】
（３）板状の出荷状態が折返しフラップを設けていない従来品と同面積であるので、店頭等の現場での新たな保存スペースの確保が必要なく、また折返しフラップによる備品収容スペースの形成作業に複雑な作業を必要としないので、店頭の現場での作業性を向上させることができる。
【００１４】
（４）ケーキ等の内容物を包装箱内に収容する際には、収容した後に備品収容スペースを形成すれば良く、またケーキ等の内容物を取り出す際には、折返しフラップを回動して備品収容スペースを解体し保冷材等の備品を取り出したあとに、ケーキ等の内容物を取り出すことができるので、備品収容スペースがケーキ等の内容物の出し入れの妨げになることがなくなった。
【００１５】
（５）前端フラップの自由端間に通気部を設けるとともに、折返しフラップに通気孔を形成したので、ケーキ等の内容物に対する冷却効率を向上させることができる。また折返しフラップに操作孔を形成したことにより、箱組み後に切残し形成された係止片を包装箱内側から外側に容易に押出すことができる。
【００１６】
（６）前壁及び左右側壁に上部フラップを折曲げ可能に連設し、該上部フラップが互いに係止し合うフック部を備えているので、備品収容スペースを確保し且つ前壁及び左右側壁の起立状態を容易に保持することができる。
【００１７】
（７）箱組立状態において前壁とその内側に位置する前端フラップとの間に保冷材その他の備品を収容保持する備品収容スペースを形成するために、前端フラップの自由端が所定位置まで内側に揺動することを許容し且つ所定位置以上の揺動を規制する規制手段を設けたことにより、前壁と前端フラップとで備品収容スペースを容易に確保することができる。
【発明を実施するための最良の形態】
【００１８】
以下本発明の第１実施形態を図面に基づき説明する。図１は箱組み後の斜視図，図２は箱の組立途中を示す斜視図，図３は内面展開図を示している。
【００１９】
包装箱１は本体１ａと蓋１ｂからなり、本体１ａは正方形又は長方形の底板２に対して周壁として前後壁３ａ，３ｂと左右側壁４ａ，４ｂが折曲げ起伏可能に連設されている。また蓋１ｂは後壁３ｂの延長上に正方形又は長方形の天板６が折曲げ可能に連設されており、天板６の左右端及び前端には左右の蓋側壁７及び蓋前壁８が折曲げ可能に連設されている。さらに該蓋前壁８の左右端には接着片９が折曲げ可能に連設され、前記左右の蓋側壁７及び蓋前壁８が蓋１ｂの蓋周壁を形成し、上記本体１ａに開閉嵌合する蓋１ｂを構成している。
【００２０】
また左右側壁４ａ，４ｂ上端には上部フラップ１１ａ，１１ｂが折り曲げ可能に連設されており、前壁３ａの左右上端には上部フラップ１２ａ，１２ｂが各別に折曲げ可能に連設されている。そして上部フラップ１１ａ，１１ｂの前端及び上部フラップ１２ａの左端及び上部フラップ１２ｂの右端には、係止用のフック部１３ａ，１３ｂ，１４ａ，１４ｂが形成されている。上記上部フラップ１１ａ，１１ｂ，１２ａ，１２ｂをそれぞれ水平方向内側にアングル状に折曲げて、コーナー部において隣接交差する各上部フラップに備えられたフック部１３ａ，１４ａ及びフック部１３ｂ，１４ｂとを互いに係脱可能に係合させ、各周壁の上端を補強する蓋受け用周縁部を形成するとともに、前壁３ａ及び左右側壁４ａ，４ｂの起立状態を保持する構成となっている。
【００２１】
左右側壁４ａ，４ｂの前端には起立した前壁３ａの内面と重なり合う前端フラップ１６が折り曲げ可能に連設されている。底板２と左右側壁４ａ，４ｂの折目には係止孔１７が切込形成され、後壁３ｂの左右端には接合フラップ１８が折り曲げ可能に連設されている。そして包装箱１の組立状態における上記接合フラップ１８の前方下端側に前記係止孔１７に嵌合係止し左右側壁４ａ，４ｂの起立状態を保持する係止爪１９が突出形成されている。
【００２２】
前壁３ａの略中央の上端位置には、略Ｔ字形をなす係止片２１が切残し形成されており、該係止片２１には左右上端に爪部２２が突出形成されている。そして蓋１ｂの蓋前壁８には前記係止片２１の爪部２２に対応する位置にハ字型の係止孔２３が形成されている。本体１ａに対して蓋１ｂが嵌合し閉蓋される際に、蓋前壁８を前壁３ａと係止片２１との間に差込み、係止片２１の爪部２２を係止孔２３に差込むことにより、蓋１ｂの閉蓋を保持する構成となっている。
【００２３】
図３の内面展開図に示すように、左右側壁４ａ，４ｂの内面側及び接合フラップ１８の裏側には接着代２４ａ，２４ｂがそれぞれ形成され、左右側壁４ａ，４ｂの後方の底部コーナーを略２等分する方向であって上部フラップ１１ａ，１１ｂの左右前端に至る折目２６（外側において谷線）が形成されている。同様に蓋側壁７の内面側及び接着片９の裏側にも接着代２７ａ，２７ｂが形成され、蓋側壁７には蓋前壁８側の連結基端部コーナーを略２等分する方向に折目２８（外側において谷線）が形成されている。
【００２４】
前壁３ａの略中央部上端には、上部フラップ１２ａ，１２ｂを切残し形成し、折返しフラップ２９が折曲げ可能に連設され、該折返しフラップ２９を前壁３ａ内面側に折返して保冷材５１その他の備品を収容して保持する備品収容スペースを形成する構成となっている。また折返しフラップ２９を前壁３ａ内面側に折重ね状態で起立させた際に、該折返しフラップ２９の略中央と中央下端には、包装箱１内との通気を可能にする通気孔３１及び折返しフラップ２９と底板２とで形成される通気部３２がそれぞれ切欠形成されている。この例では図２，３に示すように、通気孔３１の形状としては角丸の長方形を３箇所切欠形成した。さらに折返しフラップ２９には、前壁３ａ内面側へ折返しフラップ２９の折重ね状態において、前壁３ａに切残し形成された係止片２１を内側より外側に押出すための操作孔３３が係止片２１の対応する位置に切欠形成されている。
【００２５】
また内側にアングル状に折曲げられた前端フラップ１６，１６間に通気部３４を設けるとともに、折返しフラップ２９に形成された通気孔３１及び折返しフラップ２９と底板２とで形成された通気部３２が包装箱１内側との通気を可能にし、折返しフラップ２９と前壁３ａとで収容保持された保冷材５１の冷気を包装箱１内に浸透させる構成となっている。ちなみに折返しフラップ２９は前壁３ａとで保冷材５１その他の備品を収容保持し、さらに該折返しフラップ２９を前壁３ａと内側にアングル状に折曲げた前端フラップ１６とで挟持する構成となっているので、折返しフラップ２９の幅及び高さは前壁３ａと前端フラップ１６とで挟持可能な幅及び高さにすることが望ましい。また前端フラップ１６の幅も同様に折返しフラップ２９を前壁３ａとで挟持できる幅に調整することが望ましく、前端フラップ１６，１６間である自由端間の通気部３４を通気可能な幅に調整する。
【００２６】
上記構成による本包装箱１は、本体１ａでは左右側壁４ａ，４ｂの接着代２４ａを接合フラップ１８の接着代２４ｂに接着固定するとともに、蓋１ｂでは蓋側壁７の接着代２７ａを接着片９の接着代２７ｂに接着固定する。そして折目２６を介して底板２，前壁３ａ上に左右側壁４ａ，４ｂ，接合フラップ１８，後壁３ｂ，上部フラップ１１ａ，１１ｂを折畳んで重ね合わせ、上部フラップ１２ａ，１２ｂ及び折返しフラップ２９は前壁３ａの内面側に折返すとともに、天板６内面側にも同様に折目２８を介して蓋側壁７，蓋前壁８，接着片９を折畳んで重ね合わせる。蓋１ｂは後壁３ｂの上端に折曲げ可能に連設されているので、後壁３ｂの底板２上への折畳みに連動して、蓋側壁７，接着片８及び蓋前壁９を折畳んだ蓋１ｂも底板２上に重ね合わせた板状の状態（図示しない）で店頭等の現場へ出荷される。
【００２７】
上述の板状の状態から、蓋１ｂ及び後壁３ｂを起立方向に回動させると、後壁３ｂに連設した接合フラップ１８が左右側壁４ａ，４ｂに接着固定されているので、後壁３ｂの起立に連動して左右側壁４ａ，４ｂが回動起立する。そして左右側壁４ａ，４ｂの起立と同時に接合フラップ１８の前方下端の係止爪１９を係止孔１７に嵌合させて、左右側壁４ａ，４ｂの起立を保持する。
【００２８】
底板２に対して後壁３ｂ及び左右側壁４ａ，４ｂ，接合フラップ１８を起立させた状態で、ケーキ等の内容物を従来公知のケーキ用のトレー（例えば後述する第２実施形態の図４に示すトレー４１を使用することができる）とともに底板２上に挿入載置する。そして前端フラップ１６を内側にアングル状に折曲げ、前壁３ａ上に保冷材５１を載置し、折返しフラップ２９を前壁３ａ内面側に折返し、図２の矢印に示すように前壁３ａと折返しフラップ２９とで保冷材５１を収容保持した状態で起立させ、前端フラップ１６と前壁３ａとで折返しフラップ２９を挟持する。
【００２９】
上部フラップ１１ａ，１１ｂ，１２ａ，１２ｂを水平方向内側にアングル状に折曲げて、フック部１３ａと１４ａ，１３ｂと１４ｂとを互いに係合固定し、前壁３ａの起立を保持し前壁３ａ及び左右側壁４ａ，４ｂの上端を補強するとともに、蓋受け用周縁部を形成し本体１ａを完成させる。また蓋１ｂも天板６に対して蓋前壁９を起立方向に回動させるとともに、接着片９によって蓋前壁８と連動した蓋側壁７も起立方向に回動させて蓋１ｂを形成する。さらに該蓋１ｂを前記本体１ａに嵌合させ、上述したように係止片２１の爪部２２を蓋前壁８に形成された係止孔２３に差込み、蓋１ｂの閉蓋を保持し包装箱１の箱組みを完成させる。
【００３０】
次に図４に基づき第２実施形態の説明をすると、包装箱１´には第１実施形態で前壁３ａ上端に折曲げ可能に連設した折返しフラップ２９を設けずに、前壁３ａの上端に左右両端にフック部１４ａ，１４ｂを備えた上部フラップ１２を折曲げ可能に連設し、前壁３ａ内面側と前端フラップ１６とで保冷材５１その他の備品を収容保持する構成となっている。ただし保冷材５１その他の備品の厚みにより、前端フラップ１６の自由端側が包装箱内に入り込み、ケーキ等の内容物を傷つける可能性があるので、必ず図４に示すような前端フラップ１６の規制手段として、従来公知のケーキ用のトレー４１を使用し、ケーキを包装箱内に載置する必要がある。該トレー４１は、底板４２に対して比較的小幅の周縁ひだ部４３を介して底板２外周より内側に周壁４４を起立方向に形成する構成となっている。
【００３１】
上記トレー４１を使用することにより前端フラップ１６の自由端が周壁４４まで揺動し且つ周壁４４以上内側への揺動を規制することができる。また前端フラップ１６と前壁３ａとで保冷材５１を挟持する構成であるので、前端フラップ１６に通気部３４を確保し且つ保冷材５１を収容保持できる幅に調整する必要がある。この例では前端フラップ１６の底板２側の自由端を突出形成し、その先端に半円状の切欠部３６を切欠形成して包装箱１内側との通気を確保する構成となっている。その他の構成は上記第１実施形態と同様のため説明を省略する。
【００３２】
以上のように構成される本発明の備品収納壁を備えた包装箱は、上記態様に限らず６角形等の多角形の底板又は天板に対して側壁，前端フラップ，前壁，折返しフラップを設けて前壁と折返しフラップとで備品収容スペースを形成させることもできる。また折返しフラップは前壁３ａと前端フラップ１６とで挟持可能な幅及び高さを確保しさえすれば、上記の説明及び図面に示した形状に限らず、他の形状に形成することができる。その他、折返しフラップに形成された通気孔の形状，通気部の形状，前端フラップ自由端の形状，前端フラップ自由端に形成された切欠部の形状等のその他の形状は上記態様に限らず他の形状にすることが可能であり、通気孔の数も自由に変更可能である。
【図面の簡単な説明】
【００３３】
【図１】本包装箱の第１実施形態の箱組み完成状態を示す斜視図である。
【図２】本包装箱の第１実施形態の組立途中を示す斜視図である。
【図３】本包装箱の第１実施形態の内面展開図である。
【図４】本包装箱の第２実施形態の組立途中を示す斜視図である。
【符号の説明】
【００３４】
１      包装箱
２      底板
３ａ    前壁（周壁）
３ｂ    後壁（周壁）
４ａ    左側壁（周壁）
４ｂ    右側壁（周壁）
６      天板
８      蓋前壁
１１ａ  上部フラップ
１１ｂ  上部フラップ
１２ａ  上部フラップ
１２ｂ  上部フラップ
１３ａ  フック部
１３ｂ  フック部
１４ａ  フック部
１４ｂ  フック部
１６    前端フラップ
２１    係止片
２２    爪部
２３    係止孔
２９    折返しフラップ
３１    通気孔
３３    操作孔
３４    通気部
４１    トレー（規制手段）
５１    保冷材
【図１】
2005200023.tif 000003
【図２】
2005200023.tif 000004
【図３】
2005200023.tif 000005
【図４】
2005200023.tif 000006